(57)【要約】【課題】  可能な限り単純な構成を有しながら、その作用に関して既知の毛髪接着器具に劣らない熱可塑性毛髪接着器具を提供する。【解決手段】  熱可塑性毛髪接着器具はほぼ角柱状の本体から成り、代替の毛髪すなわち付け毛の端部が毛髪接着器具内に埋め込まれ、それによって当該器具の縦方向に延在することができる。毛髪接着器具は、当該器具の縦方向に対して傾斜して延在する形状を有する少なくとも１つの自由面を有する。【選択図】  図１
2008208508.tif 000002
【特許請求の範囲】
【請求項１】
ほぼ角柱状の本体を備える熱可塑性毛髪接着器具であって、
代替の毛髪の端部は、前記熱可塑性毛髪接着器具内に埋め込まれることによって、前記器具の縦方向に延在することができ、
前記熱可塑性毛髪接着器具は、前記器具の前記縦方向に対して傾斜して延在する形状を備える少なくとも１つの自由面を有することを特徴とする熱可塑性毛髪接着器具。
【請求項２】
前記自由面は前記縦方向をほぼ横断して延在するただ１つの形状を有することを特徴とする請求項１に記載の熱可塑性毛髪接着器具。
【請求項３】
前記自由面は２つの交差する形状を有することを特徴とする請求項１に記載の熱可塑性毛髪接着器具。
【発明の詳細な説明】
【技術分野】
【０００１】
本発明は、付け毛（エクステンション・ヘアー）の端部を縦方向に埋め込むことができる、ほぼ角柱状の本体から成る熱可塑性毛髪接着器具に関する。
【背景技術】
【０００２】
上述したタイプの、さまざまな種類の毛髪接着器具が当該技術分野において既知である。最も頻繁に使用される毛髪接着器具は、たとえば、オーストリア特許第４０３  ４２７号又は同第４１２  １４１号に見られるような、Ｕ字形構成を有するものであり、ここで、付け毛の端部はＵ字形部分のウェブ内に埋め込まれることにより、接着器具を使用した熱溶解によって付け毛の房を地毛に固定できるようにしている。このプロセスにおいて、毛髪の房はＵ字形部分の（複数の）脚部の間に配置され、次いで加熱ピンセットによって共に押し込まれる。地毛の房の誘導及び位置合わせを確実にするために、且つ利用可能な十分な接着材を有するために、たとえば、オーストリア特許第４１２  １４１号において、Ｕ字形部分の脚部の間に追加の縦壁及び／又は横壁を設けることが既に提案されている。しかしながら、このような毛髪接着器具は、比較的複雑である。したがって、より単純な解決策を探すことが望まれていた。
【発明の開示】
【発明が解決しようとする課題】
【０００３】
本発明の目的は、可能な限り単純な構成を有しながら、その作用に関して既知の毛髪接着器具に劣らない熱可塑性毛髪接着器具を提供することである。
【課題を解決するための手段】
【０００４】
本発明によれば、上述の目的は、上述の種類の熱可塑性毛髪接着器具において、当該器具の少なくとも１つの自由面上に、当該器具の縦の延長部に対して傾斜して延在する少なくとも１つの形状を設けることによって達成される。この形状はたとえば、波型、溝等とすることができる。
【０００５】
本発明による毛髪接着器具の構成は、端部において、ほぼ角柱状の本体のただ１つの表面のみが平坦な表面から逸脱した形状を有するため、既知の全ての接着器具よりもはるかに単純である。傾斜している１つ又は複数の形状は、接着器具が人の頭部上で使用されるときに、当該器具の縦方向に配置される地毛の房が、加熱ピンセットによる熱融着（ホット・メルド接着）中に接続器具の材料によって従来よりも良好に取り囲まれるという利点を有する。毛髪接着器具のより複雑な構成は、熱融着のために、毛髪接着器具を受ける、加熱装置を有するアプリケータが常に必要とされるため、不要になってきている。これによって、地毛の誘導が確実になり、すなわち、これは取り付けの補助として作用する。
【０００６】
最も単純な場合では、器具の縦方向をほぼ横断する方向に延在するただ１つの形状が設けられ得る。第一の目的は形状の延長部を毛髪接着器具の縦方向から離すことであるので、「縦方向をほぼ横断する方向に」という表現は、０度よりも大きく且つ４５度以下である全ての傾斜角を含む。この特別な種類の形状は、波形若しくは丘状であろうと、又は複数の三角形の形状でうねっていようと、さして重要ではない。
【０００７】
好ましい一実施の形態では、２つの交差する形状が設けられる。これは、取付けられる、櫛でとかした毛髪の大まかな方向とは逸れている場合がある地毛の房の個々の端部でさえ、なおその形状をほぼ横断する方向に接触し、したがって、熱融着プロセス中に押し込まれるときに良好に埋め込まれるという利点を有する。
【発明を実施するための最良の形態】
【０００８】
図１に示される、本発明による熱可塑性毛髪接着器具１は、ほぼ角柱状の本体、たとえば、縦面２、横面３及び底面４がほぼ平滑且つ平坦である平行六面体の本体を有する。底面４の反対側に位置する自由面５は、器具の縦方向をほぼ横断する方向に延在する形状６を有する。図示される実施形態では、形状は単純な波形である。
【０００９】
図面の図２は、同様の熱可塑性毛髪接着器具７を示しているが、形状８は矩形の歯の形態である。
【００１０】
概して、「縦方向をほぼ横断する方向に」、すなわち、０度よりも大きく且つ４５度以下の角度で延在している限り、全ての実施形態においてあらゆる形状の形態を使用することができる。
【００１１】
最後に、図３は、２つの交差する形状１０ａ及び１０ｂが設けられている熱可塑性毛髪接着器具９を示している。
【００１２】
工程の第１のステップでは、付け毛１１のような代替の毛髪の端部が、溶融した状態又はペースト状態である熱可塑性毛髪接着器具１、７、又は９内に埋め込まれ、毛髪は縦方向に、すなわち縦面２と平行に位置合わせされる。熱可塑性毛髪接着器具が人の頭部の上で使用されるときに、結果として熱可塑性毛髪接着器具１、７、又は９によって一方の端部において得られる束になった付け毛の房が、加熱ピンセット等によって持ち上げられ、地毛の房１２の端部が形状を有する自由面５の上に配置される。熱可塑性毛髪接着器具１、７、又は９を加熱して押し込むことによって、地毛１２の端部もまた器具内に埋め込まれ、それによって付け毛１１が地毛１２に接着される。毛髪接着器具１、７、又は９が加熱されて押し込まれると、地毛の房１２の位置に関係する表面５の形状６、８又は１０ａ、１０ｂは、地毛１２が熱可塑性バインダによって良好に取り囲まれるという効果を有する。
【００１３】
毛髪接着器具１、７、又は９のために使用される材料は、基本的に、通常通りに頭部を洗浄する際に剥がれないように、融点又は軟化点が低すぎない任意の熱可塑性材料である。
【００１４】
本発明による毛髪接着器具のサイズは、たとえば、長さが約４ｍｍ〜１０ｍｍ、幅が約２ｍｍ〜５ｍｍ、底部の厚さが約１ｍｍ、そして形状の高さが約１ｍｍ〜４ｍｍとすることができる。
【００１５】
本発明の原理を例示するために本発明の具体的な実施形態を詳細に図示及び説明してきたが、本発明を、このような原理から逸脱することなく他の方法で具体化することができることは理解されたい。
【図面の簡単な説明】
【００１６】
【図１】本発明による熱可塑性毛髪接着器具の概略斜視図である。
【図２】毛髪接着器具の別の実施形態の斜視図である。
【図３】２つの交差する形状を有する熱可塑性毛髪接着器具の別の実施形態の斜視図である。
【符号の説明】
【００１７】
１、７、９    熱可塑性毛髪接着器具
２            縦面
３            横面
４            底面
５          自由面
６、８、１０ａ、１０ｂ    形状
１１          付け毛（代替の毛髪）
【図１】
2008208508.tif 000003
【図２】
2008208508.tif 000004
【図３】
2008208508.tif 000005